(57)【特許請求の範囲】
【請求項１】
その内表面に第１の面を有する外カバーと、その内表面に前記第１の面に対応してチャンバーを画成する第２の面を有するベースとからなるハウジングと、
前記第２の面に取り付けられて前記ハウジング内に封入される発光体及び少なくとも１つの受光体を有し、前記発光体からの発光を前記第１の面で反射し前記受光体が受光して感知する感知手段と、
前記チャンバー内において、前記発光体から発光して第１の面で反射され前記受光体で受光する光の光路から離脱した透光位置と、当該光路を遮断する遮光位置との間を移動自在に内蔵されており、前記遮光位置に移動したとき、前記発光体または前記受光体と前記第１の面との間を隔てるように設けられた可動部材と、
前記チャンバー内に前記感知手段と前記可動部材との間に設けられている内カバーと、
を備えており、
前記可動部材の前記感知手段側が平面状に形成されており、
前記内カバーは光を透過させるための複数の透光部を有し、複数の前記透光部における一部は、それぞれ前記発光体及び前記受光体のそれぞれに対応するように形成されていることを特徴とする電子スイッチ。
【請求項２】
前記発光体と前記受光体は前記第２の面上で一直線上に配置され、前記可動部材は、前記チャンバー内を前記直線に沿って移動可能に設けられることを特徴とする請求項１に記載の電子スイッチ。
【発明の詳細な説明】
【技術分野】
【０００１】
本発明は、電子スイッチに関する。
【背景技術】
【０００２】
従来の電子スイッチの例として、図１４に示すように、光学モジュール１１と、制御モジュール１２とを備えているものがある。光学モジュール１１は、光源１１１と、光源１１１を挟んで配置された２つの受光体１１２、１１３とを有し、光源１１１及び２つの受光体１１２、１１３は一列に並べられ電子スイッチの一側に設置される。制御モジュール１２は、中空部１２２が画成されたハウジング１２１と、中空部１２２内に移動自在に設けられた反射ボール１２３とを有する。光源１１１が発光している時、反射ボール１２３が中空部１２２内を転がって移動することにより、反射ボール１２３に反射される反射光の方向が変化し、受光体１１２および受光体１１３がそれぞれ、当該反射光を受光する状態または受光しない状態になり、ＯＮ・ＯＦＦどちらかの信号を出力する。
【０００３】
しかしながら、上記従来の電子スイッチは、反射ボール１２３の位置が安定しにくい上、反射ボール１２３の表面に光が当たると反射光が散乱し、受光体１１２、１１３が光を正確に感知できないため、誤作動を起こすことがある。
【０００４】
そこで、図１５に示すような、光学モジュール１３と、制御モジュール１４とを備えている筐体状の電子スイッチが開発された。
【０００５】
光学モジュール１３は、光源１３１と、２つの受光体１３２、１３３と、光源１３１及び２つの受光体１３２、１３３を搭載し、電子スイッチの一側に設置された基板とを有する。制御モジュール１４は、反射面を有し電子スイッチの他側に設置された外カバー(図示なし)と、光学モジュール１３と外カバーとの間に設置され、反射面側に開口を有するケース１４２と、中空部１４３内に設けられた遮光ボール１４４とを有する。このスイッチは、基板と、ケース１４２と、外カバーとから中空部１４３が画成された筐体となっている。
【０００６】
ケース１４２の光学モジュール１３に対する面には、光路を画成する穴部(図示なし)が設けられており、光源１３１から発光した光が、外カバーに反射されて受光体１３２、１３３で受光できるように構成されている。そして、遮光ボール１４４が中空部１４３内を転がって移動することにより、光路を遮断することができるので、受光体１３２および受光体１３３がそれぞれ、当該反射光を受光する状態または受光しない状態になり、ＯＮ・ＯＦＦどちらかの信号を出力する。
【先行技術文献】
【特許文献】
【０００７】
【特許文献１】台湾特許公告第５６８４８０号明細書
【発明の概要】
【発明が解決しようとする課題】
【０００８】
上記従来の電子スイッチは、中空部１４３で遮光ボール１４４が転がって移動するとき、光学モジュール１３の光路を画成する穴部に遮光ボール１４４が嵌ってしまい、電子スイッチが傾いたときに遮光ボール１４４が確実に転がることができず、電子スイッチの精度に影響を及ぼす虞がある。
また、基板と、外カバーと、ケースとの３つの構成要件から１つの筐体を形成するには、接合作業を少なくとも２回行わなければならず、組立ての際にずれが生じやすくなる。組立ての際にずれが生じれば、密封度が低下することから、防水性の低下、光を感知する感度の低下を引き起こす虞がある。
【０００９】
本発明は、上記問題点を解決しようとするものであり、精度が高く感度がよい電子スイッチを提供することを目的とする。
【課題を解決するための手段】
【００１０】
上記目的を達成するために、本発明に係る電子スイッチは、第１の面と、前記第１の面に対応してチャンバーを画成する第２の面とを有するハウジングと、前記第２の面に取り付けられて前記ハウジング内に封入される発光体及び少なくとも１つの受光体を有し、前記発光体からの発光を前記第１の面で反射し前記受光体が受光して感知する感知手段と、前記チャンバー内において、前記発光体から発光して第１の面で反射され前記受光体で受光する光の光路から離脱した透光位置と、当該光路を遮断する遮光位置との間とを移動自在に内蔵されており、前記遮光位置に移動したとき、前記発光体または前記受光体と前記第１の面との間を隔てるように設けられた可動部材とを備えている。
【発明の効果】
【００１１】
本発明の電子スイッチによれば、精度が向上し、感度が向上する。
【図面の簡単な説明】
【００１２】
【図１】本発明の第１実施形態における電子スイッチを示す分解斜視図である。
【図２】図１の電子スイッチの断面を示す組み立て斜視図である。
【図３】図１の電子スイッチにおける第１作動状態を示す平面図である。
【図４】図３のIV―IV線の側面断面図である。
【図５】図１の電子スイッチにおける第２作動状態を示す平面図である。
【図６】図５のVI―VI線の側面断面図である。
【図７】図１の電子スイッチにおける第３作動状態を示す平面図である。
【図８】図７VIII―VIII線の側面断面図である。
【図９】図１の電子スイッチにおける第４作動状態を示す平面図である。
【図１０】図９のＸ―Ｘ線の側面断面図である。
【図１１】本発明の第２実施形態における電子スイッチを示す分解斜視図である。
【図１２】本発明の第３実施形態における電子スイッチを示す側面断面図である。
【図１３】図１２の電子スイッチを回転させた後の状態を示す側面断面図である。
【図１４】従来の電子スイッチを示す平面図である。
【図１５】従来の電子スイッチを示す平面図である。
【発明を実施するための形態】
【００１３】
＜第１の実施形態＞
図１、図２は、本発明にかかる電子スイッチの第１実施形態を示している。
【００１４】
電子スイッチは、ハウジング２と、感知手段３と、可動部材４と、内カバー５とを備えている。
【００１５】
ハウジング２は、チャンバー２０を画成する中空状筐体であり、チャンバー２０に向かう面２２１（第１の面）を反射面として有する外カバー２２と、第１の面２２１とでチャンバー２０を画成する第２の面２１１を有するベース２１とからなる。本実施形態において、第１の面２２１は平面状に形成され、第２の面２１１はベース２１の第１の面２２１に対応する側から切削し、平面視で略四角形状になるように凹ませて形成されている。また、その凹みの内部の、凹み方向と直交する方向にある各隅部２０１〜２０４は丸めて滑らかにされている。
【００１６】
感知手段３は、第２の面２１１に取り付けられてハウジング２内に封入される発光体３１と、２つの受光体３２、３３を有し、発光体３１からの発光を第１の面２２１で反射し、受光体３２、３３が受光し感知して電気信号を出力するように構成されている。発光体３１と受光体３２、３３はベース２１の第２の面２１１上の３つの隅部２０１、２０２、２０３付近に取り付けられている。本実施形態において、発光体３１は隅部２０２付近に設けられ、受光体３２、３３は隅部２０１、２０３付近にそれぞれ取り付けられている。また、第２の面２１１の、発光体３１及び受光体３２、３３を取り付ける箇所は、それぞれ凹状に形成されていることが好ましい。このような構造により、ハウジング２を形成する際は、ベース２１と外カバー２２とを接合するだけでよく、接合作業が１回で済む。
【００１７】
可動部材４は、本実施形態においては円盤形状に形成され、チャンバー２０内において、円盤の平面４１が感知手段３の方に向くようにして内蔵されている。但し、可動部材４の形状はこれに限らず、感知手段３側が平面状に形成されていれば良く、外カバー５側は、例えば、ドーム状に形成されていても良い。
【００１８】
内カバー５は、ハウジング２のチャンバー２０内に、感知手段３と可動部材４との間に設けられ、ベース２１の略四角形の凹みに緊密に嵌め込まれる略四角形の平板であり、光を透過させるための３つの透光部５１、５２、５３を有し、各透光部５１、５２、５３は、発光体３１及び受光体３２、３３のそれぞれに対応して光路を狭めることができるように形成されている。本実施形態において、透光部５１、５２、５３は貫通した孔であり、透光部５１〜５３の孔径は可動部材４の平面４１の直径よりも小さいように形成されている。このような構造により、可動部材４は、平面４１で、内カバー５上を滑らかに移動することができる。
【００１９】
図３、４に示すように、可動部材４が、チャンバー２０内で隅部２０２に滑り移動した時、受光体３２に対応した内カバー５の透光部５２を塞ぎ、光路を遮断する第１遮光位置に位置する。この時、透光部５１、５３は開放されており、隅部２０１付近に設けられた発光体３１からの発光は遮断されていない状態であるため、内カバー５の透光部５１を透過して光が照射され、外カバー２２の第１の面２２１が光を反射し、隅部２０３付近に設けられた受光体３３が受光してＯＮの電気信号を出力する。このようにして、受光体３２、３３がそれぞれ同時にＯＦＦ、ＯＮの電気信号を出力する第１作動状態となる。
【００２０】
図５、６に示すように、可動部材４が、チャンバー２０内で隅部２０１に滑り移動した時、発光体３１に対応した内カバー５の透光部５１を塞ぎ、光路を遮断する第２遮光位置に位置する。この時、隅部２０１付近に設けられた発光体３１からの発光を遮断した状態であるため、光が外カバー２２の第１の面２２１に反射されず、受光体３２、３３は受光せずにＯＦＦの電気信号を出力する。このようにして、受光体３２、３３がそれぞれ同時にＯＦＦ・ＯＦＦの電気信号を出力する第２作動状態となる。
【００２１】
図７、８に示すように、可動部材４が、チャンバー２０内で隅部２０３に滑り移動した時、受光体３３に対応した内カバー５の透光部５３を塞ぎ、光路を遮断する第３遮光位置に位置する。この時、透光部５１、５２は開放されており、隅部２０１付近に設けられた発光体３１からの発光が遮断されていない状態であるため、内カバー５の透光部５１を透過して光が照射され、外カバー２２の第１の面２２１が光を反射し、隅部２０２付近に設けられた受光体３２が受光してＯＮの電気信号を出力する。このようにして、受光体３２、３３がそれぞれ同時にＯＮ・ＯＦＦの電気信号を出力する第３作動状態となる。
【００２２】
図９、１０に示すように、可動部材４が、チャンバー２０内で隅部２０４に滑り移動した時、透光部５１、５２、５３を開放し、光路から離脱した透光位置に位置する。この時、隅部２０１付近に設けられた発光体３１からの発光が遮断されていない状態であるため、内カバー５の透光部５１を透過して光が照射され、外カバー２２の第１の面２２１が光を反射し、隅部２０２、２０３付近に設けられた受光体３２、３３がそれぞれ受光してＯＮの電気信号を出力する。このようにして、受光体３２、３３がそれぞれ同時にＯＮ・ＯＮの電気信号を出力する第４作動状態となる。
【００２３】
＜第２の実施形態＞
図１１に示されているように、本発明の電子スイッチの第２の実施形態は第１の実施形態と類似する構成を有しており、以下はその相違点について詳しく説明する。
【００２４】
図示されているように、この第２の実施形態において、内カバー５は、略四角形の角部付近にそれぞれ形成された、４つの透光部５１、５２、５３、５４を有し、内カバー５をベース２１の凹みに嵌め込んだとき、４つの透光部５１〜５４のうち３つが発光体３１及び受光体３２、３３のそれぞれに対応するように形成されている。このような構造により、カバー５をベース２１に嵌め込む際、内カバー５の透光部が発光体３１及び受光体３２、３３それぞれに対応するように、内カバー５の表裏及び上下方向を配慮する必要がなくなるため、取り付けが簡単になる。
【００２５】
＜第３の実施形態＞
図１２、１３に示されるように、本発明の電子スイッチの第３の実施形態は第１の実施形態と類似する構成を有しており、以下はその相違点について詳しく説明する。
【００２６】
図示されているように、第３の実施形態の電子スイッチは、内カバー５を設けておらず、ハウジング２と、感知手段３と、可動部材４とを備えている。ハウジング２は、長尺状の筐体であることが好ましい。感知手段３は、本実施形態においては、発光体３１と受光体３２を１つずつ有し、発光体３１と受光体３２は、第２の面２１１上で、ハウジング２の長手方向に沿った一直線上に配置されている。可動部材４は、チャンバー２０内を上記直線に沿って移動可能に設けられる。また、第２の面２１１の、発光体３１及び受光体３２を取り付ける箇所は、それぞれ凹状に形成されていることが好ましい。
【００２７】
本実施例において、発光体３１及び受光体３２は、ハウジング２が１８０度回転した時、可動部材４が、光路から離脱した透光位置、または、受光体３５を塞いで光路を遮断する遮断位置に位置するように配置されている。そして、それに合わせて、受光体３５がＯＮまたはＯＦＦの電気信号を出力し、２種類の作動状態を切り替えることができる。
【産業上の利用可能性】
【００２８】
本発明の電子スイッチは、可動部材４の一側が平面状に形成された平面４１となっているので、ハウジング２を薄型化することができる。また、可動部材４が、平面４１で内カバー５上を、透光部５１、５２、５３に引っかかることがなく、滑らかに移動することができるので、電子スイッチの傾きに伴って確実に光路から離脱したり、光路を遮断したりすることができ、精度が向上する。また、発光体３１と受光体３２がベース２１の第２の面２１１に取り付けられることにより、感知手段３、内カバー５、可動部材４が全てベース２１内に設けられてハウジング２内に封入されるので、接合作業が１回だけでよく、密接度が向上することにより、防水性が向上し、感度が向上する。
【符号の説明】
【００２９】
２    ハウジング
２０    チャンバー
２０１、２０２、２０３、２０４    隅部
２１    ベース
２１１    第２の面
２２    外カバー
２２１    第１の面
３    感知手段
３１    発光体
３２、３３    受光体
３４    発光体
３５    受光体
４    可動部材
４１    平面
５    内カバー
５１、５２、５３、５４    透光部
【図１】
0005281060.tif 000002
【図２】
0005281060.tif 000003
【図３】
0005281060.tif 000004
【図４】
0005281060.tif 000005
【図５】
0005281060.tif 000006
【図６】
0005281060.tif 000007
【図７】
0005281060.tif 000008
【図８】
0005281060.tif 000009
【図９】
0005281060.tif 000010
【図１０】
0005281060.tif 000011
【図１１】
0005281060.tif 000012
【図１２】
0005281060.tif 000013
【図１３】
0005281060.tif 000014
【図１４】
0005281060.tif 000015
【図１５】
0005281060.tif 000016